(57)【特許請求の範囲】
【請求項１】
筒状で変形自在な伸縮体と、弾性を有し前記伸縮体の長手方向に沿って配設された線状体と、筒状で一端部側が前記伸縮体の一端部側に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
前記口吹体と前記伸縮体との間に設けられ、前記口吹体側から前記伸縮体側に流れる空気の流量を調節自在な流量調節手段を備え、使用者が前記流量調節手段を調節することで、前記伸縮体を伸ばすのに必要な前記口吹体からの吹く力を所望の値に変えられる、ことを特徴とする吹き戻し。
【請求項２】
前記流量調節手段は、バルブで構成され、該バルブのハンドルを回すことで前記流量を調節自在である、
ことを特徴とする請求項１に記載の吹き戻し。
【請求項３】
前記流量調節手段は、所定の範囲内で任意の流量に調節自在である、
ことを特徴とする請求項１または２のいずれか１項に記載の吹き戻し。
【請求項４】
前記流量調節手段は、前記伸縮体に対して着脱自在となっている、
ことを特徴とする請求項１から３のいずれか１項に記載の吹き戻し。
【請求項５】
前記口吹体の一端部側が分岐され、該分岐部側に、前記口吹体側からの空気が流れることで音を発生する音発生手段が設けられている、
ことを特徴とする請求項１から４のいずれか１項に記載の吹き戻し。
【請求項６】
筒状で変形自在な伸縮体と、弾性を有し前記伸縮体の長手方向に沿って配設された線状体と、筒状で一端部側が前記伸縮体の一端部側に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
前記口吹体の一端部側が分岐され、該分岐部側に、前記口吹体側から流れる空気の流量を調節自在な流量調節手段が設けられ、使用者が前記流量調節手段を調節することで、前記伸縮体を伸ばすのに必要な前記口吹体からの吹く力を所望の値に変えられる、ことを特徴とする吹き戻し。
【請求項７】
前記流量調節手段は、バルブで構成され、該バルブのハンドルを回すことで前記流量を調節自在である、
ことを特徴とする請求項６に記載の吹き戻し。
【請求項８】
前記流量調節手段は、所定の範囲内で任意の流量に調節自在である、
ことを特徴とする請求項６または７のいずれか１項に記載の吹き戻し。
【請求項９】
前記流量調節手段は、前記口吹体に対して着脱自在となっている、
ことを特徴とする請求項６から８のいずれか１項に記載の吹き戻し。
【請求項１０】
前記流量調節手段の下流側に設けられ、空気が流れることで音を発生する音発生手段を備える、
ことを特徴とする請求項６から９のいずれか１項に記載の吹き戻し。
【発明の詳細な説明】
【技術分野】
【０００１】
この発明は、吹き戻しに関し、特に、ボイストレーニングや健康促進などに適した吹き戻しに関する。
【背景技術】
【０００２】
吹き戻しは、古くから吹き戻し玩具として知られている。この吹き戻しは、筒状の伸縮体（袋状部）の長手方向に沿って線状のバネ材が配設され、伸縮体の一端部から空気を吹き込むと伸縮体が伸び、空気を吹き込まない状態では、バネ材の弾性力によって伸縮体が渦巻状に巻かれるものである。
【０００３】
このような吹き戻しは、従来、主に子供の玩具として使用されていたが、健康促進や治療、美容などの目的に利用可能な吹き戻しが知られている（例えば、特許文献１参照。）。この吹き戻しは、抗菌性の柔軟材料から形成されたマウスピースを、吹き込み部に着脱自在に備えることで、長期間の繰り返し使用によっても衛生状態を良好に保ち得るものである。
【先行技術文献】
【特許文献】
【０００４】
【特許文献１】実用新案登録第３１３７９４４号公報
【発明の概要】
【発明が解決しようとする課題】
【０００５】
ところで、伸縮体を伸ばすのに要する吹く力（必要呼気力）は、使用目的に応じた力であることが望ましい。例えば、声楽家がボイストレーニングのために吹き戻しを使用する場合は、通常の玩具目的の場合に比べて必要呼気力が高いことが望ましい。一方、高齢者が健康維持、促進のために吹き戻しを使用する場合は、通常の玩具目的の場合に比べて必要呼気力が低いことが望ましいケースがある。
【０００６】
一方、従来の吹き戻しの必要呼気力は、ほぼ一定であり、使用目的に応じて必要呼気力を変えるということは行われていなかった。そして、必要呼気力は、主としてバネ材の弾性力に依存するため、必要呼気力を変えるにはバネ材の弾性力を変えることが考えられる。しかしながら、バネ材の弾性力を変えるだけでは、必要呼気力を所定値に正確に調節・調整することが困難なばかりでなく、１つの吹き戻しの必要呼気力は一定であるため、使用者が別の必要呼気力を欲する場合には、別の吹き戻しを購入、使用しなければならず、経済的負担が大きく使い勝手が悪い。
【０００７】
また、たとえ、必要呼気力（バネ材）が異なる吹き戻しを複数種製造、用意したとしても、使用者は、予め用意された複数種の吹き戻しのなかから、所定の必要呼気力を有する吹き戻しを選択できるだけであり、必要呼気力を自身で所望値に調節することができない。このため、使用目的や自身の体調などに適合した所望の必要呼気力で吹き戻しを使用することができず、使い勝手が悪いばかりでなく、使用目的などを適正に達成することができない。
【０００８】
そこでこの発明は、使用目的を適正に達成することが可能で、使い勝手が良い吹き戻しを提供することを目的とする。
【課題を解決するための手段】
【０００９】
上記課題を解決するために、請求項１の発明は、筒状で変形自在な伸縮体と、弾性を有し前記伸縮体の長手方向に沿って配設された線状体と、筒状で一端部側が前記伸縮体の一端部側に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記口吹体と前記伸縮体との間に設けられ、前記口吹体側から前記伸縮体側に流れる空気の流量を調節自在な流量調節手段を備え、使用者が前記流量調節手段を調節することで、前記伸縮体を伸ばすのに必要な前記口吹体からの吹く力を所望の値に変えられる、ことを特徴とする。
請求項２の発明は、請求項１に記載の吹き戻しにおいて、前記流量調節手段は、バルブで構成され、該バルブのハンドルを回すことで前記流量を調節自在である、ことを特徴とする。
【００１０】
請求項３の発明は、請求項１または２に記載の吹き戻しにおいて、前記流量調節手段は、所定の範囲内で任意の流量に調節自在である、ことを特徴とする。
【００１１】
請求項４の発明は、請求項１から３に記載の吹き戻しにおいて、前記流量調節手段は、前記伸縮体に対して着脱自在となっている、ことを特徴とする。
【００１２】
請求項５の発明は、請求項１から４に記載の吹き戻しにおいて、前記口吹体の一端部側が分岐され、該分岐部側に、前記口吹体側からの空気が流れることで音を発生する音発生手段が設けられている、ことを特徴とする。
【００１３】
請求項６の発明は、筒状で変形自在な伸縮体と、弾性を有し前記伸縮体の長手方向に沿って配設された線状体と、筒状で一端部側が前記伸縮体の一端部側に接続され使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記口吹体の一端部側が分岐され、該分岐部側に、前記口吹体側から流れる空気の流量を調節自在な流量調節手段が設けられ、使用者が前記流量調節手段を調節することで、前記伸縮体を伸ばすのに必要な前記口吹体からの吹く力を所望の値に変えられる、ことを特徴とする。
請求項７の発明は、請求項６に記載の吹き戻しにおいて、前記流量調節手段は、バルブで構成され、該バルブのハンドルを回すことで前記流量を調節自在である、ことを特徴とする。
【００１４】
請求項８の発明は、請求項６または７に記載の吹き戻しにおいて、前記流量調節手段は、所定の範囲内で任意の流量に調節自在である、ことを特徴とする。
【００１５】
請求項９の発明は、請求項６から８に記載の吹き戻しにおいて、前記流量調節手段は、前記口吹体に対して着脱自在となっている、ことを特徴とする。
【００１６】
請求項１０の発明は、請求項６から９に記載の吹き戻しにおいて、前記流量調節手段の下流側に設けられ、空気が流れることで音を発生する音発生手段を備える、ことを特徴とする。
【発明の効果】
【００１７】
請求項１の発明によれば、流量調節手段で空気の流量を調節することで、伸縮体を伸ばすのに必要な口吹体からの吹く力（必要呼気力）が変化するため、使用目的に応じた所望の必要呼気力で使用することができ、使用目的を適正に達成することが可能となる。しかも、使用者にとっては、流量調節手段を調節するだけで必要呼気力を所望の値に変えられるため、使い勝手が良く、また、必要呼気力が異なる吹き戻しを複数購入する必要がなく、経済的である。一方、製造者にとっても、必要呼気力が異なる吹き戻しを複数製造する必要がなく、製造費を削減することが可能となる。
請求項２および請求項７の発明によれば、バルブのハンドルを回すだけで空気の流量を調節することができる。
【００１８】
請求項３および８の発明によれば、流量調節手段によって空気の流量を任意に調節自在なため、必要呼気力を任意の所望値に正確に調節・調整することが可能となり、使い勝手がさらに良い。この結果、使用目的や使用者の体調などに適合した所望の必要呼気力で吹き戻しを使用することができ、使用目的などをより適正に達成することが可能となる。
【００１９】
請求項４の発明によれば、流量調節手段が伸縮体に対して着脱自在なため、伸縮体が劣化した場合でも、流量調節手段を他の伸縮体に取り付けて使用することができ、経済的である。また、必要呼気力の調節・変更の要否などに応じて、流量調節手段を取り付けたり外したりすることができ、使い勝手が良い。
【００２０】
請求項５および１０の発明によれば、空気が流れると音を発生する音発生手段が設けられているため、口吹体から空気を吹き込むと、伸縮体が伸びるとともに音発生手段から音が発せられる。このため、視覚と聴覚とによって空気の吹き込み状態を確認することができ、使い勝手が良く、さらに、使用目的を適正に達成することが可能となる。
【００２１】
請求項６の発明によれば、請求項１の発明と同様に、流量調節手段を調節することで必要呼気力が変化するため、使用目的を適正に達成することが可能で、また、使い勝手が良い、などという効果が得られる。また、分岐部を下方に向けて吹き戻しを使用することで、口吹体からの唾液が分岐部側に流れるため、伸縮体が唾液で劣化するのを防止、抑制することができ、さらに、唾液をまとめて排出することが可能となり、使い勝手が良い。
【００２２】
請求項９の発明によれば、流量調節手段が口吹体に対して着脱自在なため、口吹体や伸縮体が劣化した場合でも、流量調節手段を他の口吹体に取り付けて使用することができ、経済的である。また、必要呼気力の調節・変更の要否などに応じて、流量調節手段を取り付けたり外したりすることができ、使い勝手が良い。
【図面の簡単な説明】
【００２３】
【図１】この発明の実施の形態１に係る吹き戻しを示す正面図である。
【図２】図１の吹き戻しの伸縮体が伸びた状態を示す平面図である。
【図３】図１の吹き戻しの流量調節弁を示す図であり、（ａ）は、接続管の軸心に対して弁体の軸心が対向した状態を示し、（ｂ）は、接続管の軸心に対して弁体の軸心が直交した状態を示す。
【図４】この発明の実施の形態２に係る吹き戻しを示す正面図である。
【図５】図４の吹き戻しの口吹体を示す正面図である。
【図６】この発明の実施の形態３に係る吹き戻しを示す正面図である。
【図７】この発明の実施の形態４に係る吹き戻しを示す正面図である。
【図８】この発明の実施の形態３の変形例を示す正面図である。
【発明を実施するための形態】
【００２４】
以下、この発明を図示の実施の形態に基づいて説明する。
【００２５】
（実施の形態１）
図１は、この実施の形態に係る吹き戻し１を示す正面図である。この吹き戻し１は、特に、ボイストレーニングや健康促進、美容などの目的に利用可能な吹き戻しであり、主として、伸縮体２と、線状体３（図２参照）と、専管体４と、口吹体５と、流量調節弁（流量調節手段）６と、を備えている。
【００２６】
伸縮体２は、筒状で変形自在な袋状部であり、所定の厚み、強度、密度（単位面積当たりの重量）、耐久性などの材質（特性）を有する紙材で構成されている。この伸縮体２は、図２に示すように、空気が吹き込まれて膨らんだ状態で、断面が略円形となり、その内径が専管体４の外径よりもやや大きくなるように設定されている。
【００２７】
また、伸縮体２の長さ（専管体４が挿入された部分を除く長さ）Ｌは、ボイストレーニングや健康促進、美容などの目的（吹き戻し１の使用目的）や、使用者の口腔機能状態などに応じて設定されている。すなわち、伸縮体２を全長Ｌにわたって伸ばすのに要する空気量が、使用目的などに応じて予め設定された適正空気量になるように、伸縮体２の長さＬが設定されている。
【００２８】
線状体３は、弾性を有し伸縮体２の長手方向に沿って真っ直ぐに配設された線材である。すなわち、ステンレス製の針金で構成され、外力を加えない状態（伸縮体２に空気を吹き込まない状態）では、渦巻状・コイル状に巻かれ、真っ直ぐに伸ばして外力を解除すると、渦巻状に戻ろうとする弾性力が作用するものであり、その弾性力（弾性係数）は、所定の値に設定されている。すなわち、伸縮体２を伸ばすのに要する必要呼気力が、使用目的などに応じて設定された適正値（あるいは、その周辺値）になるように、換言すると、口吹体５から空気を吹き込む力（呼気圧）が所定置以上でないと、伸縮体２が伸びないように、弾性力が所定値に設定されている。
【００２９】
また、１つの線状体３では所定値の弾性力を正確に得られない場合や、複数の線状体３によって所定値の弾性力をより正確かつ容易に得られる場合には、複数の線状体３が配設されている。すなわち、複数の線状体３が配設されることで、口吹体５から空気を吹き込む力が適正値（所定値）以上でないと、伸縮体２が伸びないようになっている。このような線状体３は、伸縮体２が渦巻状に巻かれる内輪側に、伸縮体２に一体的に配設されている。
【００３０】
専管体４は、筒状で一端部４１が伸縮体２の一端部２１に接続された専管部である。すなわち、所定の材質を有する厚い紙材で構成された円筒体で、図１、図２に示すように、その一端部４１が伸縮体２の一端部２１内に挿入されて、テープや接着剤などで接続されている。この専管体４の内径と長さは、使用者が容易に持つことができ、かつ、口吹体５から伸縮体２に空気を吹き込みやすいように設定されている。
【００３１】
口吹体５は、筒状で一端部５１側が専管体４の他端部４２側に接続され、使用者が口にくわえて空気を吹き込む口吹部である。すなわち、樹脂製の略円筒体で、後述するように流量調節弁６を介して一端部５１が専管体４に接続され、他端部側（吹き込み側）には、マウスピース７が装着自在に取り付けられている。このマウスピース７は、円筒状で抗菌加工が施された柔軟材料（例えば、シリコーン）から構成され、筒内に口吹体５を挿入して一端部５１側に圧入することで、着脱自在に装着されている。そして、このようなマウスピース７を装着することで、使用者のくわえ心地が良好になるとともに、長期間繰り返し使用しても衛生状態を良好に維持することが可能になる。
【００３２】
このように、口吹体５の一端部５１側が、流量調節弁６および専管体４を介して伸縮体の一端部２１側に接続されている。そして、口吹体５から空気を吹き込むと伸縮体２が伸び、空気を吹き込まない状態では、線状体３の弾性力によって伸縮体２が渦巻状に巻かれるものである。
【００３３】
流量調節弁６は、口吹体５と伸縮体２との間に設けられ、口吹体５側から伸縮体２側に流れる空気の流量を調節自在な弁・バルブである。すなわち、有底円筒状のケーシング６１の側面に、ケーシング６１の内面まで貫通する第１の接続管６２と第２の接続管６３とが設けられ、第１の接続管６２と第２の接続管６３とは対向して配置されている。そして、変形自在な第１のチューブ７１の一端部に専管体４の他端部４２が挿入され、第１のチューブ７１の他端部に第１の接続管６２が挿入されている。同様に、変形自在な第２のチューブ７２の一端部に口吹体５の一端部５１が挿入され、第２のチューブ７２の他端部に第２の接続管６３が挿入されている。
【００３４】
このように、流量調節弁６は、専管体４およびチューブ７１、７２を介して、口吹体５と伸縮体２との間に配置されている。また、流量調節弁６は、接続管６２、６３をチューブ７１、７２に装着したり外したりすることで、伸縮体２（専管体４）および口吹体５に対して着脱自在となっている。
【００３５】
図３に示すように、この流量調節弁６のケーシング６１内には円筒状の弁体６４が配設され、ケーシング６１の上面側にはハンドル６５が配設され、弁体６４とハンドル６５は連結されている。そして、ハンドル６５を回して、弁体６４を軸心に垂直な回転軸を中心に回すことで、接続管６２、６３に対する弁体６４の配置角が変化して（流路断面が変化して）、口吹体５側から伸縮体２側に流れる空気の流量が調節される。例えば、図３（ａ）に示すように、接続管６２、６３の軸心に対して弁体６４の軸心が対向（一致）した状態では、口吹体５側からの空気の流量が制限されずに（絞られずに）伸縮体２側に流れる。一方、図３（ｂ）に示すように、接続管６２、６３の軸心に対して弁体６４の軸心が直交した状態では、口吹体５側からの空気が完全に遮断されて伸縮体２側に流れなくなる。
【００３６】
また、弁体６４の配置角（絞り量）を任意に調節することで、口吹体５側から伸縮体２側に流れる空気の流量を、所定の範囲内で任意の流量に調節自在となっている。すなわち、上記のように空気の流量が制限されない流量（図３（ａ））からゼロ（図３（ｂ））までの範囲内で、伸縮体２側に流れる流量を任意に変えられるものである。
【００３７】
そして、伸縮体２を伸ばすのに必要な口吹体５からの吹く力（必要呼気力）が、流量調節弁６の調節で変化する。すなわち、口吹体５側から伸縮体２側に流れる空気の流量を、流量調節弁６のハンドル６５を回して調節することで、必要呼気力が任意に変化する。例えば、図３（ａ）に示すように、空気の流量が制限されない状態では、低い必要呼気力で伸縮体２を伸ばすことができる。一方、接続管６２、６３の軸心に対して弁体６４の軸心が交差した状態では、高い必要呼気力でないと伸縮体２を伸ばすことができなくなる。
【００３８】
このような構成の吹き戻し１では、使用者が口吹体５（マウスピース７）から空気を吹き込むと、図２に示すように、空気が伸縮体２に流入して伸縮体２が伸び、空気を吹き込まない状態では、図１に示すように、線状体３の弾性力によって伸縮体２が渦巻状に巻き戻る。この際、流量調節弁６のハンドル６５を回して調節することで、縮体２を伸ばすのに必要な吹く力（必要呼気力）が変化する。従って、使用目的などに応じた所望の必要呼気力に調節することで、適正な吹き込み力での運動、訓練が行えるものである。
【００３９】
以上のように、この吹き戻し１によれば流量調節弁６で空気の流量を調節することで、必要呼気力が変化するため、使用目的に応じた所望の必要呼気力で使用することができ、使用目的を適正に達成することが可能となる。しかも、使用者にとっては、流量調節弁６を調節するだけで必要呼気力を所望の値に変えられるため、使い勝手が良く、また、必要呼気力が異なる吹き戻しを複数購入する必要がなく、経済的である。一方、製造者にとっても、必要呼気力が異なる吹き戻しを複数製造する必要がなく、製造費を削減することが可能となる。
【００４０】
しかも、流量調節弁６によって空気の流量を任意に調節自在なため、必要呼気力を任意の所望値に正確に調節・調整することが可能となり、使い勝手がさらに良い。この結果、使用目的や使用者の体調などに適合した所望の必要呼気力で吹き戻し１を使用することができ、使用目的などをより適正に達成することが可能となる。
【００４１】
また、流量調節弁６が伸縮体２や口吹体５に対して着脱自在なため、伸縮体２などが劣化した場合でも、流量調節弁６を他の伸縮体２などに取り付けて使用することができ、経済的である。さらに、必要呼気力の調節・変更の要否などに応じて、流量調節弁６を取り付けたり外したりすることができ、使い勝手が良い。
【００４２】
（実施の形態２）
図４は、この実施の形態に係る吹き戻し１１を示す正面図である。この実施の形態では、口吹体５の一端部５１側が分岐され、該分岐部５２側に、口吹体５側からの空気が流れることで音を発生する笛（音発生手段）８１が設けられている点で、実施の形態１と構成が異なり、実施の形態１と同等の構成については、同一符号を付することでその説明を省略する。
【００４３】
すなわち、図５に示すように、口吹体５の反マウスピース７側（一端部５１側）が二股に分岐されて、一端部５１と分岐部５２とが形成され、マウスピース７側から吹き込んだ空気は、ほぼ等しく一端部５１と分岐部５２とに流れる。笛８１は、一端部から所定圧の空気を吹き込むと他端部側に空気が流れて音が発生するものである。そして、変形自在な第３のチューブ７３の一端部に分岐部５２が挿入され、第３のチューブ７３の他端部に笛８１の一端部が挿入されて、笛８１が着脱自在に設けられている。
【００４４】
このような構成の吹き戻し１１では、使用者が口吹体５から空気を吹き込むと、伸縮体２が伸びるとともに笛８１から音が発せられる。このため、視覚と聴覚とによって空気の吹き込み状態を確認することができ、使い勝手が良く、さらに、使用目的を適正に達成することが可能となる。つまり、音の強弱や安定性などによって、適正に空気を吹き込んでいるか否か、使用目的に合った吹き込みを行えているか否かを判断、確認することができ、その結果、使用目的を適正に達成することが可能となる。
【００４５】
また、笛８１を下方に向けて吹き戻し１１を使用することで、口吹体５からの唾液が笛８１側に多く流れるため、伸縮体２が唾液で劣化するのを防止、抑制することができ、さらに、笛８１側に溜まった唾液をまとめて容易に排出することが可能となり、使い勝手が良い。
【００４６】
（実施の形態３）
図６は、この実施の形態に係る吹き戻し１２を示す正面図である。この実施の形態では、口吹体５の一端部５１側が分岐され、該分岐部５２側に、口吹体５側から流れる空気の流量を調節自在な流量調節弁（流量調節手段）６が設けられている点で、実施の形態１と構成が異なり、実施の形態１と同等の構成については、同一符号を付することでその説明を省略する。
【００４７】
すなわち、図５に示すように、口吹体５の反マウスピース７側（一端部５１側）が二股に分岐されて、一端部５１と分岐部５２とが形成され、マウスピース７側から吹き込んだ空気は、ほぼ等しく一端部５１と分岐部５２とに流れる。そして、変形自在な第１のチューブ７１の一端部に分岐部５２が挿入され、第１のチューブ７１の他端部に流量調節弁６の第２の接続管６３が挿入されている。
【００４８】
この流量調節弁６のハンドル６５を回すと、口吹体５側から第１の接続管６２側（流量調節弁６の下流側）に流れる空気の流量が調節される。例えば、図３（ａ）に示すように、接続管６２、６３の軸心に対して弁体６４の軸心が対向（一致）した状態では、口吹体５側からの空気の流量が制限されずに第１の接続管６２側に流れる。一方、図３（ｂ）に示すように、接続管６２、６３の軸心に対して弁体６４の軸心が直交した状態では、口吹体５側からの空気が完全に遮断されて第１の接続管６２側に流れなくなる。
【００４９】
このようにして流量調節弁６で第１の接続管６２側への流量を調節することで、伸縮体２を伸ばすのに必要な口吹体５からの吹く力（必要呼気力）が変化する。例えば、図３（ａ）に示すように、空気の流量が制限されない状態では、口吹体５側からの空気が伸縮体２側と第１の接続管６２側とにほぼ等しく流れるため、高い必要呼気力でないと伸縮体２を伸ばすことができない。一方、接続管６２、６３の軸心に対して弁体６４の軸心が交差した状態では、口吹体５側からの空気が伸縮体２側に多く流れるため、低い必要呼気力で伸縮体２を伸ばすことができる。そして、実施の形態１と同様に、第１の接続管６２側に流れる流量を流量調節弁６で任意に調節できるため、所定の範囲内で必要呼気力を任意に変えられるものである。ここで、所定の範囲とは、流量調節弁６が図３（ｂ）の状態での必要呼気力から、流量調節弁６が図３（ａ）の状態での必要呼気力までである。
【００５０】
このような構成の吹き戻し１２では、実施の形態１と同様に、流量調節弁６を調節することで必要呼気力が変化するため、使用目的を適正に達成することが可能となり、使い勝手が良い、などという効果が得られる。また、分岐部５２を下方に向けて吹き戻し１２を使用することで、口吹体５からの唾液が分岐部５２および流量調節弁６側に流れるため、伸縮体２が唾液で劣化するのを防止、抑制することができ、さらに、唾液をまとめて容易に排出することが可能となり、使い勝手が良い。
【００５１】
また、第１のチューブ７１を介して流量調節弁６が口吹体５（伸縮体２）に対して着脱自在なため、伸縮体２や口吹体５が劣化した場合でも、流量調節弁６を他の口吹体５に取り付けて使用することができ、経済的である。また、必要呼気力の調節・変更の要否などに応じて、流量調節弁６を取り付けたり外したりすることができ、使い勝手が良い。
【００５２】
（実施の形態４）
図７は、この実施の形態に係る吹き戻し１３を示す正面図である。この実施の形態では、流量調節弁６の下流側に設けられ、空気が流れることで音を発生する笛（音発生手段）８１を備える点で、実施の形態３と構成が異なり、実施の形態３と同等の構成については、同一符号を付することでその説明を省略する。
【００５３】
すなわち、変形自在な第２のチューブ７２の一端部に流量調節弁６の第１の接続管６２（下流側）が挿入され、第２のチューブ７２の他端部に笛８１の一端部が挿入されて、笛８１が着脱自在に設けられている。
【００５４】
このような構成の吹き戻し１３では、笛８１への空気の流れを流量調節弁６で遮断しない状態では、使用者が口吹体５から空気を吹き込むと、伸縮体２が伸びるとともに笛８１から音が発せられる。このため、実施の形態２と同様に、視覚と聴覚とによって空気の吹き込み状態を確認することができ、使い勝手が良く、さらに、使用目的を適正に達成することが可能となる。また、笛８１への空気の流れを流量調節弁６で遮断した状態では、笛８１が鳴らないため、遮断状態であることを音で確認することができ、使い勝手が良い。
【００５５】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、流量調節弁６が伸縮体２および口吹体５に対して着脱自在となっているが、流量調節弁６を口吹体５と一体的に設け、流量調節弁６を伸縮体２に対して着脱自在にしてもよい。
【００５６】
また、流量調節手段を流量調節弁６以外のもので構成してもよい。例えば、実施の形態３において、図８に示すような流量調節具９を流量調節手段としてもよい。すなわち、変形自在な分岐チューブ８２の一端部に分岐部５２が挿入され、分岐チューブ８２の他端部側に流量調節具９が取り付けられている。
【００５７】
この流量調節具９は、装着体９１と調整ネジ９２とニードル９３とを備える。装着体９１は、円柱状で一端部側に、分岐チューブ８２を挿入するための装着孔９１ａが形成され、他端部の外周には雄ネジ（図示せず）が形成されている。調整ネジ９２は、装着体９１の雄ネジに螺合し、装着孔９１ａに向かって突出するピン状のニードル９３が設けられている。そして、調整ネジ９２を回してニードル９３を分岐チューブ８２に対して前進、後退させる（流路断面を変える）ことで、口吹体５側から分岐チューブ８２の自由端部側（流量調節具９の下流側）に流れる空気の流量が調節される。例えば、調整ネジ９２を締め付けてニードル９３を前進させると、ニードル９３で分岐チューブ８２が潰されて流量が低下し、調整ネジ９２を緩めてニードル９３を後退させると、分岐チューブ８２が膨らんで流量が増加するものである。ここで、分岐チューブ８２の自由端部に笛８１を装着してもよい。
【符号の説明】
【００５８】
１        吹き戻し
２        伸縮体
３        線状体
４        専管体
５        口吹体
５１      一端部
５２      分岐部
６        流量調節弁（流量調節手段）
７        マウスピース
７１〜７３  チューブ
８１      笛（音発生手段）
８２      分岐チューブ
９        流量調節具（流量調節手段）
【要約】
【課題】  使用目的を適正に達成することが可能で、使い勝手が良い吹き戻しを提供する。
【解決手段】  筒状で変形自在な伸縮体２と、弾性を有し伸縮体２の長手方向に沿って配設された線状体３と、筒状で一端部側が伸縮体２の一端部側に接続され使用者がくわえて空気を吹き込む口吹体５と、を備え、口吹体５から空気を吹き込むと伸縮体２が伸び、空気を吹き込まない状態では、線状体３の弾性力によって伸縮体２が渦巻状に巻かれる吹き戻し１である。口吹体５と伸縮体２との間に設けられ、口吹体５側から伸縮体２側に流れる空気の流量を調節自在な流量調節弁６を備え、伸縮体２を伸ばすのに必要な口吹体５からの吹く力が、流量調節弁６の調節で変化する。
【選択図】  図１【図１】
0005890058.tif 000002
【図２】
0005890058.tif 000003
【図３】
0005890058.tif 000004
【図４】
0005890058.tif 000005
【図５】
0005890058.tif 000006
【図６】
0005890058.tif 000007
【図７】
0005890058.tif 000008
【図８】
0005890058.tif 000009